(57)【要約】【課題】再リサイクルのためのプラスチック製品の回収率を大幅に向上させることができるとともに、回収した廃プラスチックを分析や分類などの面倒な処理を要することなく直ちに再リサイクル品の材料へと供することができ、これにより再リサイクルの作業効率の向上およびコストの低減が図れ、ひいては廃プラスチックの再利用促進および環境改善に大きく貢献することができるプラスチック製品の回収容器および型枠用パネルの製造・回収管理方法を提供する。【解決手段】廃プラスチックから製造されたコンクリート型枠用パネル１０をその使用後に再リサイクル用として受け容れるための回収容器１２を用意する。コンクリート型枠用パネル１０には、製造時、所定物質の含有量（含有量の範囲を含む）を表わすための識別情報たとえば文字１１がプリントされる。このプリントされたのと同じ文字１４が、回収容器１２にも付加される。【選択図】　　図１
2004075162.tif 000002
【特許請求の範囲】
【請求項１】
廃プラスチックを原料としてプラスチック製品を製造し、それを使用後に回収するものにおいて、
前記廃プラスチックに含まれている所定物質の含有量（含有量の範囲を含む）に対応する識別情報が前記プラスチック製品と共に付加され、前記使用後のプラスチック製品を再リサイクル用として受け容れることを特徴とするプラスチック製品の回収容器。
【請求項２】
請求項１に記載のプラスチック製品の回収容器において、
前記所定物質の含有量は、検出されたものであることを特徴とするプラスチック製品の回収容器。
【請求項３】
請求項１に記載のプラスチック製品の回収容器において、
前記所定物質の含有量は、当該物質が除去されて当該含有量となったものであることを特徴とするプラスチック製品の回収容器。
【請求項４】
請求項１に記載のプラスチック製品の回収容器において、
前記所定物質の含有量は、当該物質が添加されて当該含有量となったものであることを特徴とするプラスチック製品の回収容器。
【請求項５】
請求項１ないし請求項４のいずれかに記載のプラスチック製品の回収容器において、
前記識別情報は、前記含有量を表わす文字または色または絵柄パターンであることを特徴とするプラスチック製品の回収容器。
【請求項６】
請求項１ないし請求項５のいずれかに記載のプラスチック製品の回収容器において、
前記所定物質は、前記プラスチック製品の使用後の再利用に際しての再利用不適物であることを特徴とするプラスチック製品の回収容器。
【請求項７】
請求項１ないし請求項５のいずれかに記載のプラスチック製品の回収容器において、
前記所定物質は、前記プラスチック製品の使用後の再利用に際しての再利用好適物であることを特徴とするプラスチック製品の回収容器。
【請求項８】
請求項１ないし請求項７に記載のプラスチック製品の回収容器において、
前記プラスチック製品は、型枠用パネルであることを特徴とするプラスチック製品の回収容器。
【請求項９】
廃プラスチックを原料として型枠用パネルを製造するステップと、
前記製造に際し、前記廃プラスチックに含まれている所定物質の含有量（含有量の範囲を含む）を検出するステップと、
前記検出した含有量に対応する識別情報を前記製造された型枠用パネルに付加するステップと、
前記検出した含有量を前記識別情報に対応付けてデータベースに登録するステップと、
前記識別情報が付加された型枠用パネルを出荷するステップと、
前記型枠用パネルに付加したのと同じ識別情報が付された回収容器を市場に提供するステップと、
前記出荷した後の型枠用パネルを前記回収容器に入れた状態で回収するステップと、
を備えたことを特徴とする型枠用パネルの製造・回収管理方法。
【請求項１０】
請求項９に記載の型枠用パネルの製造・回収管理方法において、
前記回収した回収容器内の型枠用パネルに付加されている識別情報に対応する含有量を、前記データベース上で検索するステップと、
前記検索した含有量が基準値以上の場合に、前記回収容器内の型枠用パネルから前記所定物質を除去するステップと、
前記所定物質が除去された型枠用パネルを原料として再リサイクル品を製造するステップと、
前記検出した含有量が基準値未満の場合に、前記回収容器内の型枠用パネルをそのまま原料として前記再リサイクル品を製造するステップと、
前記検出した製品を出荷するステップと、
をさらに備えたことを特徴とする型枠用パネルの製造・回収管理方法。
【請求項１１】
請求項９に記載の型枠用パネルの製造・回収管理方法において、
前記回収した回収容器内の型枠用パネルに付加されている識別情報に対応する含有量を、前記データベース上で検索するステップと、
前記検索した含有量が基準値未満の場合に、前記回収容器内の型枠用パネルをそのまま原料として前記再リサイクル品を製造するステップと、
前記製造した製品を出荷するステップと、
前記検索した含有量が基準値以上の場合に、前記回収容器内の型枠用パネルを所定用途の材料に対する添加物として出荷するステップと、
をさらに備えたことを特徴とする型枠用パネルの製造・回収管理方法。
【発明の詳細な説明】
【０００１】
【発明の属する技術分野】
この発明は、廃プラスチックを原料とするプラスチック製品の回収容器、および廃プラスチックを原料とする型枠用パネルの製造・回収管理方法に関する。
【０００２】
【従来の技術】
一般に、不要となった容器包装プラスチックや産業廃棄プラスチック等のいわゆる廃プラスチック（使用済みプラスチックともいう）は、自治体や事業者などにより収集された後、リサイクル（再利用）のための利用プラントに送られる。
【０００３】
リサイクルの方式には、廃プラスチックを素材として再製品化するマテリアルリサイクル、廃プラスチックの化学的性質を再利用する油化などのケミカルリサイクル、ケミカルリサイクルの一種である製鉄工程での還元剤となる高炉吹込み造粒物への流用を行う高炉還元剤リサイクル、廃プラスチックを熱エネルギー源として再利用するサーマルリサイクルがある。
【０００４】
（ａ）マテリアルリサイクル
マテリアルリサイクルでは、廃プラスチックが破砕され、その破砕後の廃プラスチックから異物（ガラス、金属、石など）が除去され、その除去後の廃プラスチックから新たなプラスチック製品が製造される。新たな製品として用いられることから、美観、強度、成形性、衛生上の問題など、制約が多い。異種プラスチックが混在すると、必要な強度が得られないことから、種類ごとに厳密に分別し、さらに必要に応じてバージン原料を混ぜるなどの対策がとられることが多い。
【０００５】
（ｂ）ケミカルリサイクル
廃プラスチックを熱分解してモノマーの状態まで戻すリサイクル方法。例として、油化方法、コークス炉での使用等がある。種々の廃プラスチックが混合した状態でもリサイクルできることが特徴であるが、廃プラスチックの成型時に入っている添加剤などの影響が無視できない場合がある。たとえば、油化方法において、廃プラスチック中に塩化ビニール樹脂（ＰＶＣ）が混入すると、熱分解の工程で塩素ガスが発生し、設備腐食を起こしたり、製品油中に塩素が入り込んだ入りして製品の品質劣化の原因となるため、予め塩素含有プラスチック（ＰＶＣ，ＰＶＤＣ）を取り除く必要がある。
【０００６】
（ｃ）高炉還元剤
製鉄工程で酸化鉄を還元するための還元剤として、コークスの代替でプラスチックを添加するプラスチックのリサイクル方法で、廃プラスチックの種類分けを行うことなくリサイクルが可能である。塩素含有プラスチックが多量に混入した場合は高炉内で発生した塩素ガスが製鉄所内の配管を腐食させることもあるため、予め塩素含有プラスチック（ＰＶＣ，ＰＶＤＣ）を取り除く必要が生じるが場合がある。
【０００７】
（ｄ）サーマルリサイクル
廃プラスチックをＲＤＦ化する、またはそのまま燃焼炉内で焼却し、その燃焼熱をボイラなどを介して回収して熱エネルギーとしてリサイクルする方法がある。この場合も、燃焼時にダイオキシン類発生の原因となったり、設備腐食の心配があるため、塩素含有プラスチック（ＰＶＣ，ＰＶＤＣ）を取り除く必要もある。
【０００８】
【発明が解決しようとする課題】
従来のリサイクルシステムは、一次製品を対象に考えていたため、入ってくる廃プラスチックの材質も製品ごとには均一であり、選別や分別、分類の操作を行うことにより、所定物質を含まないプラスチック製品と所定物質を含んだプラスチック製品（ＰＶＣ，ＰＶＤＣ）とに分類することが可能であった。所定物質は、再利用不適物たとえば塩素である。
【０００９】
しかしながら、廃プラスチックから製造したプラスチック製品（二次製品）をその使用後に廃プラスチックとして回収し、その回収した廃プラスチックを原料として二次用途のプラスチック製品を再び製造する再リサイクルでは、一次製品および二次製品を含む多種多様な材質の廃プラスチックが回収される。これら廃プラスチックに含まれる所定物質の量は様々であるため、プラスチック製品の回収ごとに、その廃プラスチックに含まれている所定物質の量を検出し、その検出結果に応じて回収廃プラスチックを分類する作業が必要になる。このような処理は、再リサイクルの複雑化を招き、再リサイクルを進める上での大きな障害となる。
【００１０】
この発明は上記の事情を考慮したもので、その目的とするところは、再リサイクルのためのプラスチック製品の回収率を大幅に向上させることができるとともに、回収した廃プラスチックを分析や分類などの面倒な処理を要することなく直ちに再リサイクル品の材料へと供することができ、これにより再リサイクルの作業効率の向上およびコストの低減が図れ、ひいては廃プラスチックの再利用促進および環境改善に大きく貢献することができるプラスチック製品の回収容器および型枠用パネルの製造・回収管理方法を提供することを目的とする。
【００１１】
【課題を解決するための手段】
請求項１に係る発明のプラスチック製品の回収容器は、廃プラスチックから製造されたプラスチック製品をその使用後に再リサイクル用として受け容れるためのもので、廃プラスチックに含まれている所定物質の含有量（含有量の範囲を含む）に対応する識別情報が上記プラスチック製品と共に付加されている。
【００１２】
請求項２に係る発明のプラスチック製品の回収容器は、請求項１に係る発明において、所定物質の含有量について限定している。所定物質の含有量は、検出されたものである。
【００１３】
請求項３に係る発明のプラスチック製品の回収容器は、請求項１に係る発明において、所定物質の含有量について限定している。所定物質の含有量は、当該物質が除去されて当該含有量となったものである。
【００１４】
請求項４に係る発明のプラスチック製品の回収容器は、請求項１に係る発明において、所定物質の含有量について限定している。所定物質の含有量は、当該物質が添加されて当該含有量となったものである。
【００１５】
請求項５に係る発明のプラスチック製品の回収容器は、請求項１ないし請求項４のいずれかに係る発明において、識別情報について限定している。識別情報は、含有量を表わす文字または色または絵柄パターンである。
【００１６】
請求項６に係る発明のプラスチック製品の回収容器は、請求項１ないし請求項５のいずれかに係る発明において、所定物質について限定している。所定物質は、プラスチック製品の使用後の再利用に際しての再利用不適物である。
【００１７】
請求項７に係る発明のプラスチック製品の回収容器は、請求項１ないし請求項５のいずれかに係る発明において、所定物質について限定している。所定物質は、前記プラスチック製品の使用後の再利用に際しての再利用好適物である。
【００１８】
請求項８に係る発明のプラスチック製品の回収容器は、請求項１ないし請求項７のいずれかに係る発明において、プラスチック製品について限定している。プラスチック製品は、型枠用パネルである。
【００１９】
請求項９に係る発明の型枠用パネルの製造・回収管理方法は、廃プラスチックを原料として型枠用パネルを製造するステップと、この製造に際し、廃プラスチックに含まれている所定物質の含有量（含有量の範囲を含む）を検出するステップと、この検出した含有量に対応する識別情報を上記製造された型枠用パネルに付加するステップと、上記検出した含有量を上記識別情報に対応付けてデータベースに登録するステップと、上記識別情報が付加された型枠用パネルを出荷するステップと、上記型枠用パネルに付加したのと同じ識別情報が付された回収容器を市場に提供するステップと、上記出荷した後の型枠用パネルを上記回収容器に入れた状態で回収するステップと、を備えている。
【００２０】
請求項１０に係る発明の型枠用パネルの製造・回収管理方法は、請求項９に係る発明において、さらに、上記回収した回収容器内の型枠用パネルに付加されている識別情報に対応する含有量を、上記データベース上で検索するステップと、この検索した含有量が基準値以上の場合に、上記回収容器内の型枠用パネルから上記所定物質を除去するステップと、この所定物質が除去された型枠用パネルを原料として再リサイクル品を製造するステップと、上記検索した含有量が基準値未満の場合に、上記回収容器内の型枠用パネルをそのまま原料として前記再リサイクル品を製造するステップと、これら製造した製品を出荷するステップと、を備えている。
【００２１】
請求項１１に係る発明の型枠用パネルの製造・回収管理方法は、請求項９に係る発明において、さらに、上記回収した回収容器内の型枠用パネルに付加されている識別情報に対応する含有量を、上記データベース上で検索するステップと、この検索した含有量が基準値未満の場合に、上記回収容器内の型枠用パネルをそのまま原料として前記再リサイクル品を製造するステップと、上記製造した製品を出荷するステップと、上記検索した含有量が基準値以上の場合に、上記回収容器内の型枠用パネルを所定用途の材料に対する添加物として出荷するステップと、を備えている。
【００２２】
【発明の実施の形態】
［１］以下、この発明の第１の実施形態について図面を参照して説明する。　図１はプラスチック製品たとえば型枠用パネルの製造・回収管理システムを示している。１は製造工場で、不要となった一般廃棄物（容器包装プラスチック）、特に容器包装プラスチックや産業廃棄プラスチック等のいわゆる廃プラスチック（使用済みプラスチックともいう）を原料として新たなプラスチック製品たとえばコンクリート型枠用パネルや高炉吹込み原料等を製造する。この製造工場１が各地に分散配置されている。なお、各製造工場１は、同一企業に属するものであっても、異なる企業に属するものであってもよい。
【００２３】
各製造工場１には、コンクリート型枠用パネル等を製造するための製造装置２、およびコンピュータ等の端末３が設置されるとともに、複数の回収容器１２が用意されている。各端末３は、通信回線たとえばインターネット等の通信ネットワーク４を介して管理センタ５のサーバ６に対するアクセスが可能となっている。サーバ６は、コンクリート型枠用パネルの製造に関わる各種情報を一元管理するところで、情報の記憶用としてデータベース７を有し、そのデータベース７の内容をＷＥＢサイトとして公開している。この公開の仕方として、予め登録されている登録者のみを対象にする場合、あるいは不特定多数のだれでもを対象にする場合がある。
【００２４】
各製造工場１で製造されるコンクリート型枠用パネルの一例を図２に示している。
１０はコンクリート型枠用パネル１０で、建設用たとえば建物の土台となるコンクリートの成型に使用するもので、廃プラスチックを利用したマテリアルリサイクル品として多量に出荷されることが見込まれている。また、現場単位でまとまった量使用されるので、まとまった量の一括的な収集が可能である。さらに、個々のコンクリート型枠用パネル１０は、家庭ゴミに比べてかなり大きく、異物除去を最小限としつつ回収することが可能となっている。このコンクリート型枠用パネル１０の少なくとも片面に、識別情報たとえば文字１１がプリントされている。文字１１として、アルファベット文字“Ａ”“Ｂ”“Ｃ”“Ｄ”が採用されている。
【００２５】
各製造工場１に用意されている回収容器１２は、使用済みのコンクリート型枠用パネル１０を再リサイクル用として受け容れるためのもので、図３に示すように、投入口１３を前面上部に備えるとともに、少なくとも前面に識別情報たとえば文字１４がプリントされている。文字１４として、コンクリート型枠用パネル１０と同じ、アルファベット文字“Ａ”“Ｂ”“Ｃ”“Ｄ”が採用されている。
【００２６】
以下、図４のフローチャートを参照しながら説明する。このフローチャートでは、製造工場１が、マテリアルリサイクル品と高炉還元剤の双方を製造できる場合を規定しているが、マテリアルリサイクル品、ケミカルリサイクル品、高炉還元剤のいずれかのみを製造できる工場であってもよい。その場合には、図４のフローチャートのうちの一部のみが使用される。
【００２７】
まず、不要となった廃プラスチックが自治体や事業者などにより収集される（ステップ１０１）。この収集に回収容器１２が使用されていなければ（ステップ１０２のＮＯ）、一次用途のための１回目リサイクルがこれから始まるとの判断の下に、その廃プラスチックから、異物（ガラス、金属、石など）や再利用不適な塩化ビニール品等が分離・除去される（ステップ１０３）。
【００２８】
異物の除去後、一次用途としてマテリアルリサイクル品たとえばペレットまたはコンクリート型枠用パネル１０が決定され、その製造のために、収集された廃プラスチックが製造装置２で混合され溶融される（ステップ１０４）。
【００２９】
この混合および溶融に際し、原料である廃プラスチックに含まれている物質の含有量を検出するための分析処理が実行される（ステップ１０５）。検出の対象となる物質として、塩素、臭素、重金属、不純物（種類を含む）、添加剤（種類を含む）などがあるが、ここでは再リサイクルに際しての再利用不適物となる物質Ｘとして、塩素が検出される。
【００３０】
この分析が行われる一方、製造装置２では、混合および溶融された原料がペレット化またはコンクリート型枠用パネル１０に成形される（ステップ１０６）。この場合、ペレット化されたものからコンクリート型枠用パネル１０が製造される場合もあるし、溶融化されたものから直接的にコンクリート型枠用パネル１０が製造される場合もある。
【００３１】
そして、製造されたコンクリート型枠用パネル１０の個々に対し、上記分析処理で検出される含有量に応じた識別情報が付加される（ステップ１０７）。たとえば、塩素の含有量が０．５％未満であれば、アルファベット文字“Ａ”の文字１１がプリントされる。０．５％〜１．０％ではアルファベット文字“Ｂ”、１．１％〜２．０％ではアルファベット文字“Ｃ”、２．１％以上ではアルファベット文字“Ｄ”の文字１１がそれぞれプリントされる。ペレット化された製品には、その容器などに、この文字１１がプリントされる。
【００３２】
このプリントに伴い、端末３に対する作業員の操作により、検出された含有量のデータおよびプリントされた文字１１のデータが、その端末３および通信ネットワーク４を介して管理センタ５のサーバ６に送られる。
【００３３】
サーバ６では、端末３からの受信に基づき、図５に示す分析情報ファイルが生成され、それがデータベース７に登録（記憶）される（ステップ１０８）。分析情報ファイルは、物質Ｘ（塩素）の含有量（％）を文字１１に対応付けたもので、それに、高炉吹込み造粒物としての使用可否を付加している。高炉吹込み造粒物としての使用可否は、物質Ｘの含有量（％）に基づいてサーバ６内で自動判定される。こうして生成された分析情報ファイルは、ＷＥＢサイトとして通信ネットワーク４上に公開される。
【００３４】
プリントが済んだコンクリート型枠用パネル１０は、市場に出荷される（ステップ１０９）。すなわち、所定の流通機構により、コンクリート型枠用パネル１０が建設現場などに搬送される。これに伴い、コンクリート型枠用パネル１０にプリントされた文字１１と同じ文字１４が付された回収容器１２が市場に提供される（ステップ１１０）。
【００３５】
出荷されたコンクリート型枠用パネル１０は、建設現場で使用され、その使用後、廃プラスチックとして回収容器１２に投入される。この場合、作業員は、アルファベット文字“Ａ”がプリントされたコンクリート型枠用パネル１０については、同じアルファベット文字“Ａ”が付された回収容器１２に投入する。同様に、アルファベット文字“Ｂ”のコンクリート型枠用パネル１０は、アルファベット文字“Ｂ”の回収容器１２に投入する。アルファベット文字“Ｃ”のコンクリート型枠用パネル１０は、アルファベット文字“Ｃ”の回収容器１２に投入する。アルファベット文字“Ｄ”のコンクリート型枠用パネル１０は、アルファベット文字“Ｄ”の回収容器１２に投入する。
【００３６】
この投入に際し、作業員は、コンクリート型枠用パネル１０にプリントされている文字１１とまったく同じ文字１４を持つ回収容器１２を投入対象として選べばよく、回収容器１２の選定が容易で、間違いのない投入が可能である。
【００３７】
こうして、使用済みのコンクリート型枠用パネル１０が投入された回収容器１２は、定期的または必要に応じて回収され、製造工場１に運ばれる（ステップ１０１）。この回収時（ステップ１０２のＹＥＳ）、回収容器１２内にコンクリート型枠用パネル１０以外の部材が含まれていれば、それが除去される（ステップ１１１）。
【００３８】
回収容器１２内のコンクリート型枠用パネル１０のうち、汚れの付着が少量で、損傷がないものは、そのまま再使用が可能であるとの判断の下に（ステップ１１２のＹＥＳ）、最初の出荷工程（ステップ１０９）へ移される。
【００３９】
回収容器１２内に、文字プリントの無いコンクリート型枠用パネル１０が混ざっている場合は、そのコンクリート型枠用パネル１０が他の適宜な処理に移される（ステップ１１３のＮＯ）。他の適宜な処理とは、ケミカルリサイクルであったり、コークス炉への利用、高炉への利用、あるいはサーマルリサイクル（焼却炉での燃焼または埋立て処理）などである。
【００４０】
こうして、回収容器１２内には、文字１１のプリントがなされたコンクリート型枠用パネル１０のみが残るようになる。
【００４１】
作業員は、回収容器１２内のコンクリート型枠用パネル１０の文字１１を読取るとともに、端末３を操作してサーバ６にアクセスし、データベース７の分析情報ファイルを端末３のディスプレイ画面を通して参照し（ステップ１１４）、読取り文字に対応する含有量を検索する。
【００４２】
読取り文字が“Ａ”であれば、塩素の含有量は０．５％未満であることが判る。読取り文字が“Ｂ”の場合は、塩素の含有量が０．５％〜１．０％であることが判る。読取り文字が“Ｃ”の場合は、塩素の含有量が１．１％〜２．０％であることが判る。読取り文字が“Ｄ”の場合は、塩素の含有量が２．１％以上であることが判る。
【００４３】
塩素の含有量が予め定められている基準値以上たとえば０．５％以上と高ければ（ステップ１１５のＹＥＳ）、その塩素をコンクリート型枠用パネル１０の廃プラスチックから除去する処理が実行され（ステップ１１６）、その除去後の廃プラスチックを原料として再リサイクル品が新たに製造される（ステップ１１７）。たとえば、製鉄工程での還元剤となる高炉吹込み造粒物への流用がある。
【００４４】
塩素の含有量が０．５％未満であれば（ステップ１１５のＮＯ）、塩素の除去処理を要することなく、廃プラスチックがそのまま高炉吹込み造粒物として流用される（ステップ１１６）。
【００４５】
これら再リサイクル品は、市場に出荷される（ステップ１１８）。
【００４６】
なお、データベース７の分析情報ファイルからは、含有量のデータだけでなく、高炉吹込み造粒物の使用可否を表わすデータも登録されている。このデータを見ることにより、コンクリート型枠用パネル１０に対する塩素の除去処理が必要か、それとも、塩素の除去処理を要することなく高炉吹込み造粒物への流用が可能であるかを、作業員が一目で判断することができる。
以上のように、一次用途のリサイクル品であるコンクリート型枠用パネル１０の出荷に伴い、コンクリート型枠用パネル１０を廃プラスチックとして回収するための回収容器１２を市場に提供することにより、再リサイクルのためのコンクリート型枠用パネル１０の回収率を大幅に向上させることができる。
【００４７】
しかも、再リサイクルに際しての再利用不適物である塩素がコンクリート型枠用パネル１０にどれだけ含まれているかを、予め分析して検出し、検出した含有量に対応する文字１１をコンクリート型枠用パネル１０にプリントし、そのプリント文字と同じ文字１４が付されている回収容器１２を市場に提供するようにしているので、回収容器１２を回収した時点で、回収容器１２内のコンクリート型枠用パネル１０はすでに塩素の含有量に基づいて分類された状態にある。したがって、回収したコンクリート型枠用パネル１０を分析や分類などの面倒な処理を要することなく直ちに再リサイクル品の材料へと供することができ、再リサイクルの作業効率の向上およびコストの低減が図れる。ひいては、上記したコンクリート型枠用パネル１０の回収率向上と合わせて、廃プラスチックの再利用促進および環境改善に大きく貢献することができる。
【００４８】
また、含有量を管理センタ５のサーバ６にデータベース登録しておき、それを通信ネットワーク４を介してどの製造工場１からでも容易にアクセスして閲覧できるので、各製造工場１のいずれにおいても同レベルの高品質の再リサイクル処理を実施することができる。
【００４９】
なお、上記実施形態では、データベース７に登録されている含有量を作業員がディスプレイ画面上で自ら検索する構成としたが、コンクリート型枠用パネル１０からの読取り文字をコンクリート型枠用パネル１０に関する情報送信要求として端末３に入力することにより、その情報送信要求をサーバ６に送信し、サーバ６では受信した情報送信要求の内容（読取り文字）に対応する含有量データおよび使用可否データをデータベース７から自動的に検索して読出し、それをサーバ６から上記情報送信要求の送信元である端末３に送ってディスプレイ画面で表示する構成を採用してもよい。
【００５０】
また、上記実施形態では、文字１１，１４としてアルファベット文字を用いたが、アルファベット文字に限らず、漢字、平仮名文字、カタカナ文字、数字、ギリシャ文字、ローマ文字などの使用も可能である。
【００５１】
さらに、上記実施形態では、大きな文字１１を１つだけコンクリート型枠用パネル１０にプリントしたが、多数の小さな文字１１をコンクリート型枠用パネル１０の少なくとも片面の全域に並べてプリントするようにしてもよい。全域に並べてプリントすることにより、コンクリート型枠用パネル１０が割れて小さい断片に分離しても、文字１１の視認が可能である。
【００５２】
［２］第２の実施形態について説明する。
第２の実施形態では、含有量に対応する識別情報として、色情報が用いられる。
すなわち、図１０に示すように、コンクリート型枠用パネル１０の両面にそれぞれ色情報としてラミネート層１５を貼り付けられる。
ラミネート層１５は、緑色、青色、橙色、赤色など、互いに異なる色に着色された少なくとも４種類が用意されている。これらラミネート層１５のうち、検出された含有量に応じた色のラミネート層１５が選択されて貼り付けられる。たとえば、塩素の含有量が０．５％未満の場合、緑色のラミネート層１５が貼り付けられる。０．５％〜１．０％の場合は、青色のラミネート層１５が貼り付けられる。１．１％〜２．０％の場合は、橙色のラミネート層１５が貼り付けられる。２．１％以上の場合は、赤色のラミネート層１５が貼り付けられる。
【００５３】
各回収容器１２は、各ラミネート層１５と同じ色の部材で成形されている。これら回収容器１２がコンクリート型枠用パネル１０の出荷に伴って市場に提供される。
【００５４】
したがって、使用済みのコンクリート型枠用パネル１０を回収容器１２に投入する場合、作業員は、コンクリート型枠用パネル１０に貼り付けられているラミネート層１５の色とまったく同じ色の回収容器１２を投入対象として選べばよく、回収容器１２の選定が容易で、間違いのない投入が可能である。
【００５５】
回収容器１２の回収後は、回収容器１２内のコンクリート型枠用パネル１０に貼り付けられているラミネート層１５の色に基づいてデータベース７を参照し、コンクリート型枠用パネル１０における塩素の含有量を検索することができる。
【００５６】
コンクリート型枠用パネル１０が割れて小さい断片に分離しても、ラミネート層１５の色の視認は可能である。
他の構成および作用は第１の実施形態と同じである。
なお、本実施形態では着色のためにラミネート層を用いたが、廃プラスチックに着色料を混ぜる等、他の手段により着色してもよい。
【００５７】
［３］第３の実施形態について説明する。
この第３の実施形態では、複数の文字の組合せからなる文字パターン１６がコンクリート型枠用パネル１０の少なくとも片面の全域にプリントされる。コンクリート型枠用パネル１０が割れて小さい断片に分離しても、文字パターン１６の視認が可能となっている。
同じ文字パターン１６がプリントされた複数の回収容器１２が用意され、これら回収容器１２がコンクリート型枠用パネル１０の出荷に伴って市場に提供される。
【００５８】
他の構成および作用効果は第１の実施形態と同じである。
【００５９】
［４］第４の実施形態について説明する。
この第４の実施形態では、多数の絵柄パターン１７がコンクリート型枠用パネル１０の少なくとも片面の全域にプリントされる。コンクリート型枠用パネル１０が割れて小さい断片に分離しても、絵柄パターン１７の視認が可能となっている。
同じ絵柄パターン１７がプリントされた複数の回収容器１２が用意され、これら回収容器１２がコンクリート型枠用パネル１０の出荷に伴って市場に提供される。
【００６０】
絵柄パターン１７には、具体例として、図１０の絵柄パターン１７ａ、図１１の絵柄パターン１７ｂ、図１２の絵柄パターン１７ｃなどがある。絵柄パターン１７ａは塩素の含有量が０．１％未満、絵柄パターン１７ｂは塩素の含有量が０．１％〜０．５％、絵柄パターン１７ｃは塩素の含有量が０．５％以上であることをそれぞれ表わしている。
【００６１】
他の構成および作用効果は第１の実施形態と同じである。
【００６２】
［５］第５の実施形態について説明する。
コンクリート型枠用パネル１０の製造・回収管理システムとして、第１の実施形態と同じ図１の構成を有している。ただし、第１の実施形態では再リサイクルに際しての再利用不適物である塩素を検出することについて説明したが、この第５の実施形態では、再リサイクルに際しての再利用好適物を検出する点に特徴を有する。
【００６３】
以下、図１３のフローチャートを参照しながら説明する。
まず、不要となった廃プラスチックが自治体や事業者などにより収集される（ステップ２０１）。この収集に回収容器１２が使用されていなければ（ステップ２０２のＮＯ）、一次用途のための１回目リサイクルがこれから始まるとの判断の下に、その廃プラスチックから、異物（ガラス、金属、石など）や再利用不適物な塩化ビニール品等が分離・除去される（ステップ２０３）。
【００６４】
異物の除去後、一次用途としてマテリアルリサイクル品たとえばペレットまたはコンクリート型枠用パネル１０が決定され、その製造のために、収集された廃プラスチックが製造装置２で混合され溶融される（ステップ２０４）。
【００６５】
この混合および溶融に際し、原料である廃プラスチックに含まれている物質の含有量を検出するための分析処理が実行される（ステップ２０５）。検出の対象となる物質としては、塩素、臭素、重金属、不純物（種類を含む）、添加剤（種類を含む）などがあるが、ここでは再リサイクルに際しての再利用好適物となる物質Ｐとして、臭素が検出される。
【００６６】
この分析が行われる一方、製造装置２では、混合および溶融された原料がペレット化またはコンクリート型枠用パネル１０に成形される（ステップ２０６）。この場合、ペレット化されたものからコンクリート型枠用パネル１０が製造される場合もあるし、溶融化されたものから直接的にコンクリート型枠用パネル１０が製造される場合もある。
【００６７】
そして、製造されたコンクリート型枠用パネル１０の個々に対し、上記分析処理で検出された含有量に応じた識別情報が付加される（ステップ２０７）。識別情報は、第１、第２、第３の実施形態で示したいずれの採用も可能である。
【００６８】
この識別情報の付加に伴い、端末３に対する作業員の操作により、検出された含有量のデータおよび識別情報のデータが、その端末３および通信ネットワーク４を介して管理センタ５のサーバ６に送られる。
【００６９】
サーバ６では、端末３からの受信に基づき、分析情報ファイルが生成され、それがデータベース７に登録（記憶）される（ステップ２０８）。分析情報ファイルは、物質Ｐ（臭素）の含有量（％）を識別情報に対応付けたものである。こうして生成された分析情報ファイルは、ＷＥＢサイトとして通信ネットワーク４上に公開される。
【００７０】
識別情報の付加が済んだコンクリート型枠用パネル１０は、市場に出荷される（ステップ２０９）。これに伴い、コンクリート型枠用パネル１０に付加された識別情報と同じ識別情報が付された回収容器１２が市場に提供される（ステップ２１０）。
【００７１】
出荷されたコンクリート型枠用パネル１０は、建設現場で使用され、その使用後、廃プラスチックとして回収容器１２に投入される。この投入に際し、作業員は、コンクリート型枠用パネル１０に付加されているのとまったく同じ識別情報を持つ回収容器１２を投入対象として選べばよく、回収容器１２の選定が容易で、間違いのない投入が可能である。
【００７２】
こうしてコンクリート型枠用パネル１０が投入された回収容器１２は、定期的または必要に応じて回収され、製造工場１に運ばれる（ステップ２０１）。この回収時（ステップ２０２のＹＥＳ）、回収容器１２内にコンクリート型枠用パネル１０以外の部材が含まれていれば、それが除去される（ステップ２１１）。
【００７３】
回収容器１２内のコンクリート型枠用パネル１０のうち、汚れの付着が少量で、損傷がないものは、そのままで再使用が可能であるとの判断の下に（ステップ２１２のＹＥＳ）、最初の出荷工程（ステップ２０９）へ移される。
【００７４】
回収容器１２内に、文字プリントの無いコンクリート型枠用パネル１０が混ざっている場合は、そのコンクリート型枠用パネル１０が他の適宜な処理に移される（ステップ２１３のＮＯ）。他の適宜な処理とは、ケミカルリサイクルであったり、コークス炉への利用、高炉への利用、あるいはサーマルリサイクル（焼却炉での燃焼または埋立て処理）などである。
【００７５】
こうして、回収容器１２内には、識別情報が付加されたコンクリート型枠用パネル１０のみが残るようになる。
【００７６】
作業員は、回収容器１２内のコンクリート型枠用パネル１０の識別情報を判別しながら、端末３を操作してサーバ６にアクセスし、データベース７の分析情報ファイルを端末３のディスプレイ画面を通して参照し（ステップ２１４）、判別した識別情報に対応する含有量を検索する。
【００７７】
塩素の含有量が予め定められている基準値未満であれば（ステップ２１５のＮＯ）、そのコンクリート型枠用パネル１０を原料として再リサイクル品が新たに製造され（ステップ２１６）、それが出荷される（ステップ２１７）。たとえば、製鉄工程での還元剤となる高炉吹込み造粒物への流用がある。
【００７８】
塩素の含有量が０．５％未満であれば（ステップ１１５のＹＥＳ）、コンクリート型枠用パネル１０がテレビ筐体に使用される難燃用途材料への添加物としてそのまま出荷される（ステップ２１８）。
【００７９】
以上のように、一次用途のリサイクル品であるコンクリート型枠用パネル１０の出荷に伴い、コンクリート型枠用パネル１０を廃プラスチックとして回収するための回収容器１２を市場に提供することにより、再リサイクルのためのコンクリート型枠用パネル１０の回収率を大幅に向上させることができる。
【００８０】
しかも、再リサイクルに際しての再利用好適物である臭素がコンクリート型枠用パネル１０にどれだけ含まれているかを、予め分析して検出し、検出した含有量に対応する識別情報をコンクリート型枠用パネル１０に付加し、その識別情報と同じ識別情報が付されている回収容器１２を市場に提供するようにしているので、回収容器１２を回収した時点で、回収容器１２内のコンクリート型枠用パネル１０はすでに臭素の含有量に基づいて分類された状態にある。したがって、回収したコンクリート型枠用パネル１０を分析や分類などの面倒な処理を要することなく直ちに再リサイクル品の材料へと供することができ、再リサイクルの作業効率の向上およびコストの低減が図れる。ひいては、上記したコンクリート型枠用パネル１０の回収率向上と合わせて、廃プラスチックの再利用促進および環境改善に大きく貢献することができる。
【００８１】
また、含有量を管理センタ５のサーバ６にデータベース登録しておき、それを通信ネットワーク４を介してどの製造工場１からでも容易にアクセスして閲覧できるので、各製造工場１のいずれにおいても同レベルの高品質の再リサイクル処理を実施することができる。
【００８２】
なお、上記実施形態では、データベース７に登録されている含有量を作業員がディスプレイ画面上で自ら検索する構成としたが、コンクリート型枠用パネル１０から判別した識別情報をコンクリート型枠用パネル１０に関する情報送信要求として端末３に入力することにより、その情報送信要求をサーバ６に送信し、サーバ６では受信した情報送信要求の内容（識別情報）に対応する含有量データをデータベース７から自動的に検索して読出し、それをサーバ６から上記情報送信要求の送信元である端末３に送ってディスプレイ画面で表示する構成を採用してもよい。
【００８３】
［６］変形例
なお、上記各実施形態では、所定物質の含有量を知得する方法として廃プラスチックから含有量を直接的に検出する場合を例に説明したが、本発明はこれに限らない。例えば湿式分離装置を用いて塩素等の所定物質を除去し、且つ分離装置の操業条件により含有量がどの程度に低減するか予め判っている場合がある。この場合には、装置の操業条件などに基づいて所定物質の含有量を得ることができる。また、マテリアルリサイクル品を製造するに当たって、何らかの初手物質を添加する場合には、その添加量に基づいて当該所定物質の含有量（範囲）を知ることができる。
【００８４】
また、各実施形態では、コンクリート型枠用パネルを製造する工場、高炉還元剤を製造する工場、ケミカルリサイクル品を製造する工場、サーマルリサイクルを行う工場等を特に分離せずに説明したが、実際にはこれらの工場は、一種類のリサイクル品を製造する場合もあれば、複数種のリサイクル品を製造する場合もある。例えばコンクリート型枠用パネルを製造する工場は、一般廃棄プラスチックからもパネル製造するし、回収された使用済みパネルからさらに型枠用パネルを製造する場合もあり得る。また、高炉還元剤を製造する工場の場合、一般廃プラスチックからは脱塩ビして還元剤を製造するとともに、マテリアルリサイクル品からは、実施形態のように塩ビ含有量に応じた処理で還元剤を製造することになる。ケミカルリサイクル品製造工場の場合も同様である。
その他、この発明は上記各実施形態に限定されるものではなく、要旨を変えない範囲で種々変形実施可能である。
【００８５】
【発明の効果】
以上述べたようにこの発明によれば、再リサイクルのためのプラスチック製品の回収率を大幅に向上させることができるとともに、回収した廃プラスチックを分析や分類などの面倒な処理を要することなく直ちに再リサイクル品の材料へと供することができ、これにより再リサイクルの作業効率の向上およびコストの低減が図れ、ひいては廃プラスチックの再利用促進および環境改善に大きく貢献することができるプラスチック製品の回収容器および型枠用パネルの製造・回収管理方法を提供できる。
【図面の簡単な説明】
【図１】各実施形態に関わる製造・回収管理システムの構成を示すブロック図。
【図２】第１および第４の実施形態におけるコンクリート型枠用パネルの外観を示す斜視図。
【図３】第１および第４の実施形態における回収容器の外観を示す斜視図。
【図４】第１、第２、第３の実施形態の作用を説明するためのフローチャート。
【図５】第１の実施形態における分析情報ファイルのフォーマットを示す図。
【図６】第２の実施形態におけるコンクリート型枠用パネルの外観を示す斜視図。
【図７】第２の実施形態における分析情報ファイルのフォーマットを示す図。
【図８】第３の実施形態におけるコンクリート型枠用パネルの外観を示す斜視図。
【図９】第４の実施形態におけるコンクリート型枠用パネルの外観を示す斜視図。
【図１０】第４の実施形態における絵柄パターンの変形例を示す図。
【図１１】第４の実施形態における絵柄パターンの他の変形例を示す図。
【図１２】第４の実施形態における絵柄パターンのさらに別の変形例を示す図。
【図１３】第５の実施形態を説明するためのフローチャート。
【符号の説明】
１…製造工場、２…製造装置、３…端末、４…通信ネットワーク（通信回線）、５…管理センタ、６…サーバ、７データベース、１０…コンクリート型枠用パネル（プラスチック製品）、１１，１４…文字（識別情報）、１２…回収容器、１５…ラミネート層（色情報）、１６…文字パターン、１７，１７ａ，１７ｂ，１７ｃ…絵柄パターン
【図１】
2004075162.tif 000003
【図２】
2004075162.tif 000004
【図３】
2004075162.tif 000005
【図４】
2004075162.tif 000006
【図５】
2004075162.tif 000007
【図６】
2004075162.tif 000008
【図７】
2004075162.tif 000009
【図８】
2004075162.tif 000010
【図９】
2004075162.tif 000011
【図１０】
2004075162.tif 000012
【図１１】
2004075162.tif 000013
【図１２】
2004075162.tif 000014
【図１３】
2004075162.tif 000015